(57)【要約】【課題】防水性を向上させるとともにリード線の損傷を防止する空気調和機の室外機を提供する。【解決手段】本発明の空気調和機の室外機は、本体１内を熱交換器室４と機械室５とに区分する仕切り板１１および制御のための電装品が収納される電装品箱１０と、熱交換器室４に配設される熱交換器６および送風機７と、機械室５に配設される圧縮機１２と、熱交換器６の風上側に配設される外気温センサ２４とを備え、送風機７のリード線７ｒと外気温センサ２４のリード線２４ｒとを電装品箱１０内の電装品に接続して成る空気調和機１００の室外機１であって、電装品箱１０の外側方に配設され、送風機７のリード線７ｒと外気温センサ２４のリード線２４ｒの少なくとも一方のリード線を支持するリード線支持部品９を備え、リード線支持部品９は、電装品箱１０と室外機１の外郭を形成する外板１４とに近接または当接するように設けている。【選択図】図５
2012093042.tif 000002
【特許請求の範囲】
【請求項１】
本体内を熱交換器室と機械室とに区分する仕切り板および制御のための電装品が収納される電装品箱と、
前記熱交換器室に配設される熱交換器および送風機と、
前記機械室に配設される圧縮機と、
前記熱交換器の風上側に配設される外気温センサとを備え、
前記送風機のリード線と前記外気温センサのリード線とを前記電装品箱内の電装品に接続して成る空気調和機の室外機であって、
前記電装品箱の外側方に配設され、前記送風機のリード線と前記外気温センサのリード線の少なくとも一方のリード線を支持するリード線支持部品を備え、
前記リード線支持部品は、前記電装品箱と前記室外機の外郭を形成する外板とに近接または当接するように設けられる
ことを特徴とする空気調和機の室外機。
【請求項２】
前記リード線支持部品の前記機械室側に前記リード線を下方に誘導する下方誘導部が設けられる
ことを特徴とする請求項１に記載の空気調和機の室外機。
【請求項３】
前記電装品箱は、前記リード線が前記電装品箱内に挿入される際に通る開口部を有し、
前記下方誘導部は、前記リード線を前記開口部より下方に案内することで、前記リード線が、前記開口部の下方から前記開口部を通って前記電装品箱内に挿入される
ことを特徴とする請求項２に記載の空気調和機の室外機。
【請求項４】
前記電装品箱は、前記リード線が前記電装品箱内に挿入される際に通る開口部を有し、
前記リード線は、前記開口部の外下方から、前記開口部を通って前記電装品箱内に挿入される
ことを特徴とする請求項１に記載の空気調和機の室外機。
【請求項５】
前記リード線支持部品は、前記リード線が水平方向および鉛直方向のうちの少なくとも何れかの方向に離隔しないように案内する案内部が設けられる
ことを特徴とする請求項１から請求項４の何れか一項に記載の空気調和機の室外機。
【請求項６】
前記案内部は、前記リード線の水平方向の移動を制限する鉛直方向に延びる形状の水平案内部である
ことを特徴とする請求項５に記載の空気調和機の室外機。
【請求項７】
前記案内部は、前記リード線の鉛直方向の移動を制限する水平方向に延びる形状の鉛直案内部である
ことを特徴とする請求項５に記載の空気調和機の室外機。
【請求項８】
前記案内部は、前記リード線が押圧して嵌入される嵌入部と、前記嵌入部に続いて形成され前記リード線の水平方向および鉛直方向の移動を制限する拘束部とを有する拘束案内部である
ことを特徴とする請求項５に記載の空気調和機の室外機。
【請求項９】
前記電装品箱は、前記リード線が前記電装品箱内に挿入される際に通る開口部を有し、
前記リード線は、前記リード線支持部品によって、前記電装品箱の開口部近くを通り過ぎ、当該開口部より下方に案内されて当該開口部に向けて戻るように、案内された後、当該開口部に挿入される
ことを特徴とする請求項１から請求項８の何れか一項に記載の空気調和機の室外機。
【請求項１０】
前記電装品箱は、前記リード線が前記電装品箱内に挿入される際に通る開口部を有し、
前記リード線支持部品は、外側に形成される外側部と該外側部の内側に形成される内側部とを有し、
前記リード線は、前記リード線支持部品の外側部で、前記送風機または前記外気温センサから前記電装品箱の開口部近くを通って当該開口部より下方に案内され、前記リード線支持部品の内側部で、当該開口部に向かって戻り当該開口部内に挿入されるよう案内される
ことを特徴とする請求項１から請求項９の何れか一項に記載の空気調和機の室外機。
【発明の詳細な説明】
【技術分野】
【０００１】
本発明は、防水性、電装品の信頼性の向上を図った空気調和機の室外機に関する。
【背景技術】
【０００２】
従来、空気調和機の室外機の電装品の信頼性を低減させる要因としては、雨水や熱交換器の熱交換によって生じる凝結水が、室外機の本体内での巻き上がりにより電装品箱内に浸入することによる電気部品の故障がある。また、リード線を電装品箱の蓋と室外機の外板とで挟むことに起因する損傷によるリード線の被覆の破れや断線がある。
【０００３】
空気調和機の室外機に関する従来の特許文献１では、その図１〜図４に示すように、室外ユニットの背面板(１１)の外気温センサのサーミスタ(１９)を設置する所定位置に、通風スリット(２３ａ)を延設した開口部(２２、２３)を設け、その開口部(２２、２３)の周縁の少なくとも左右両側および下部の３個所に打抜き等によって形成した係止片(２１、２２ａ)(図４参照)を設け、この係止片(２１、２２ａ)に着脱自在に係止されるホルダ本体(１８)より内側にサーミスタ(１９)の把持用クランプ(２６)を突設したことを特徴とする空気調和機の機器類保持装置が記載されている。
【０００４】
また、特許文献２には、その図１〜図３に示すように、室外機の本体(１)内を仕切板(３)により熱交換器室(２)と機械室(６)に区割し、熱交換器室(２)に熱交換器(４)と送風機(５)を、機械室(６)に圧縮機(７)と電装品箱(８)とを配設し、前記電装品箱(８)に配設された電気部品等と送風機(５)のリード線(５ａ)によって、送風機(５)と電気部品等とを接続してなる空気調和機の室外機が図示されている。
【０００５】
この空気調和機の室外機は、仕切板(３)の上端にリード線の挿通溝(３ｂ)を形成するとともに、同挿通溝(３ｂ)に隣接する電装品箱(８)の側面に、その下端からほぼ直角に上方に突出する側板(１０)を折曲形成し、仕切板(３)の側にその下端からほぼ直角に上方に突出する背板(８ｃ)を折曲形成し、その上端からほぼ直角に内側に突出する上フランジ(８ａ)を、左端からほぼ直角に内側に突出する左フランジ(８ｂ)を、右端からほぼ直角に内側に突出し側板(１０)とオーバーラップする右フランジを折曲形成する。
そして、右フランジに、上端から下方に突出し、先端が前記側板の斜め外側に向かい延伸するリード線(５ａ)の押え片(９)を、その下端の側板(１０)に、リード線(５ａ)の支持部(１０ｂ)(図２参照)を形成し、両者の間にリード線(５ａ)に対応しその一側を開口した嵌着溝(１１)を形成し、同嵌着溝(１１)にリード線(５ａ)を開口部(１１ａ)より嵌入している。
【先行技術文献】
【特許文献】
【０００６】
【特許文献１】特開平５−２０３１９６号公報(図１〜図４等)
【特許文献２】特開平９−２６１６４号公報(図１〜図３等)
【発明の概要】
【発明が解決しようとする課題】
【０００７】
ところで、特許文献１、２のような空気調和機の室外機の場合、通風スリット(特許文献１の２３ａ、特許文献２の３ｂ)を通過してリード線(特許文献１の２７、特許文献２の５ａ)に付着した水がリード線を伝って電装品箱内に浸入し、電気部品を故障させてしまう恐れがあった。
また、空気調和機の運転中には圧縮機(特許文献１の４、特許文献１の７)やプロペラファン(特許文献２の５)の回転により室外機は振動するが、室外機内で振動する板金部品の端部にリード線が触れることでリード線の被覆が破られる危険性があった。
【０００８】
さらに、サーミスタ(特許文献１の１９)が背面板(特許文献１の１１)に配設されるため、製品組立時や補修時の背面板を組み付ける際に、室外機の外板や電装品箱の蓋で、電装品箱内に収まらない余剰のゆるんだリード線を咬み込んで、損傷させてしまう可能性がある。
【０００９】
図７に、従来の空気調和機の室外機の電装品箱１０３の開口１０３ａ廻りの構成を示す。
ファンおよび外気温センサのリード線１１０が、電装品箱１０３の開口１０３ａ内に挿入され、電装品箱１０３の内部の電気部品に接続されている。リード線１１０が支持されていないことから、リード線１１０を伝わった水が電装品箱１０３の開口１０３ａ内に入るおそれがある。また、ゆるんだリード線１１０が、組立時、メンテナンス時などに、上板(図示せず)を上方から取り付ける際にリード線１１０が電装品箱１０３と上板との間に挟まれ、損傷するおそれがある。
【００１０】
本発明は上記実状に鑑み、防水性を向上させるとともに、リード線の損傷を防止する空気調和機の室外機の提供を目的とする。
【課題を解決するための手段】
【００１１】
上記目的を達成すべく、本発明に関わる空気調和機の室外機は、本体内を熱交換器室と機械室とに区分する仕切り板および制御のための電装品が収納される電装品箱と、前記熱交換器室に配設される熱交換器および送風機と、前記機械室に配設される圧縮機と、前記熱交換器の風上側に配設される外気温センサとを備え、前記送風機のリード線と前記外気温センサのリード線とを前記電装品箱内の電装品に接続して成る空気調和機の室外機であって、前記電装品箱の外側方に配設され、前記送風機のリード線と前記外気温センサのリード線の少なくとも一方のリード線を支持するリード線支持部品を備え、前記リード線支持部品は、前記電装品箱と前記室外機の外郭を形成する外板とに近接または当接するように設けられている。
【発明の効果】
【００１２】
本発明によれば、電装品箱内への防水性を向上するとともに、リード線の損傷を防止する空気調和機の室外機を実現できる。
【図面の簡単な説明】
【００１３】
【図１】本発明に関わる本実施形態の空気調和機を示す図。
【図２】(ａ)は実施形態の室外機の外板の一部を外した状態を示す斜視図、(ｂ)は実施形態の室外機の外板の一部を外した状態を上方から見たＡ方向矢視図、(ｃ)は実施形態の室外機の外板の一部を外した状態を背面側から見たＢ方向矢視図。
【図３】(ａ)は図２(ａ)の室外機のＣ−Ｃ線断面図、(ｂ)は(ａ)のＤ部拡大図。
【図４】(ａ)は図２(ｃ)のＥ方向矢視図、(ｂ)は図２(ａ)の電装品蓋、電装品箱の廻りの拡大図。
【図５】(ａ)は図４(ｂ)のＦ部拡大詳細図、(ｂ)は(ａ)のＧ方向矢視図。
【図６】変形形態のリード線支持部品を示す斜視図。
【図７】従来の空気調和機の室外機の電装品箱の開口廻りの構成を示す斜視図。
【発明を実施するための形態】
【００１４】
以下、本発明の実施形態について添付図面を参照して説明する。
図１に、本実施形態の一般家庭で使用される空気調和機１００を示す。
空気調和機１００は、室内に配置され冷暖房を行う室内機２と、ユーザが室内機２の運転を行うために操作するリモコン３と、室外に配置され室内機２から循環された冷媒が外気と熱交換を行う室外機１とを備える。
【００１５】
空気調和機１００を構成する室内機２と室外機１とは、通常、内部に冷媒が流れる冷媒配管（図示せず）によって接続されている。
図２(ａ)に、室外機１の外郭を構成する外板の一部１ａ(図１参照)を外した状態を示し、図２(ｂ)に、室外機１の外板の一部１ａ(図１参照)を外した状態を上方から見たＡ方向矢視図を示し、図２(ｃ)に、室外機１の外板の一部１ａ(図１参照)を外した状態を背面側から見たＢ方向矢視図を示す。
【００１６】
図２(ａ)、(ｂ)に示すように、室外機１は、仕切り板１１と電装品箱１０とリード線支持部品９とにより、熱交換器室４と機械室５とを区分(分割)している。
熱交換器室４には、冷媒配管を循環する冷媒の外気との熱交換を促進するプロペラファン７ｆとその駆動用のモータ、プロペラファン７ｆを回転自在に支持するプロペラファン支柱１３（送風機７）、および外気と循環する冷媒の熱交換を行う熱交換器６が配設されている。
【００１７】
機械室５には、循環する冷媒を高温高圧のガス冷媒にする圧縮機１２、常温・高圧の液状冷媒を低温・低圧の液状冷媒にする電動膨張弁(図示せず)、電気部品のリアクタ(図示せず)、および、冷媒が流れる冷媒配管の伝熱管(図示せず)が配設されている。
電装品箱１０には、室外機１を制御する電装品が収納されており、その上部には電装品蓋８が被せられている。
【００１８】
後記のリード線７ｒ、２４ｒ(図５参照)が挿入される電装品箱１０の電装品箱開口部２３(図５(ａ)参照)は、機械室５の側に設けられる。電装品箱開口部２３から挿入されたリード線７ｒ、２４ｒは、電装品箱１０内に収納される電装品に接続される。
図２(ｂ)、(ｃ)に示す外気の温度を検知する外気温センサ２４は、外気温センサケース２６の内部に収納され電装品箱１０の後方側部に配設されている。
【００１９】
図２に示すリード線支持部品９は、送風機７のリード線７ｒおよび外気温センサ２４のリード線２４ｒを電装品箱１０の電装品箱開口部２３まで支持し案内する部品である。
リード線支持部品９は、図２(ａ)に示すように、電装品箱１０の周囲に、熱交換器室４に続く空間(スペース)から電装品箱１０の背面側、側面側に亘り、電装品箱１０の電装品箱開口部２３(図５(ａ)参照)を過ぎた箇所まで、二つの直線部(支持部品背部９Ａ、支持部品側部９Ｂ)と一つの角部とをもつ屈曲した形状に形成されている。
【００２０】
空気調和機１００の室外機１は、仕切り板１１、電装品箱１０およびリード線支持部品９により、熱交換器室４と機械室５とに仕切っているため、室外機１に降りかかる雨水や熱交換器６に付着した霜が機械室５に侵入しにくくなっている。さらに、機械室５の側に電装品箱開口部２３(図５(ａ)参照)を設けることで電装品箱１０の内部へ雨水や霜が直接吹き込む危険性がなく、室外機１の信頼性を向上させることができる。
【００２１】
図３(ａ)に図２(ａ)の室外機１のＣ−Ｃ線断面図を示し、図３(ｂ)に図３(ａ)のＤ部拡大図を示す。
室外機１は、その上面部に外郭を成す上部外板１４が本体への係合、ネジ止めなどで取り付けられる。
図３(ａ)に示すように、室外機１を制御する電装品などが搭載される電装品箱１０は、仕切り板１１の上に配設されている。
【００２２】
また、プロペラファン７ｆを含む送風機７のリード線７ｒ、外気温センサケース２６内の外気温センサ２４のリード線２４ｒが載せられ支持されるリード線支持部品９は、熱交換器６の上に配設されている。送風機７のリード線７ｒと外気温センサ２４のリード線２４ｒとは、合流して保護チューブ２９(図５中に二点鎖線で示す)に覆われ配設される。そして、リード線支持部品９の上部には、室外機１の外郭を成す上部外板１４が配設される。
【００２３】
図３(ｂ)に示すように、リード線支持部品９は、その一端(内側端部９ｓ)を、電装品蓋８の下端より下方で、電装品箱１０と近接または当接するように設けられている。
また、図２(ｂ)に示す電装品箱１０の周囲に配置されたリード線支持部品９は、図３(ｂ)に示すように、その一端(上端部９ｕ)が室外機１の外郭を成す上部外板１４と近接または当接するように設けられる。なお、リード線支持部品９の一部が、電装品箱１０と上部外板１４とに近接または当接するように設ければ、リード線支持部品９が上部外板１４と近接または当接する箇所は特に限定されない。
【００２４】
図３に示すように、リード線支持部品９は熱交換器６の上部に配設されているが、電装品箱１０に支持されるように構成してもよい。
リード線支持部品９の一端(内側端部９ｓ)が電装品箱１０に近接または当接することで、プロペラファン７ｆやその風(空気流)により巻き上げられた雨水が、リード線支持部品９および電装品蓋８、電装品箱１０に遮られ、機械室５へ侵入するのを防ぐことができる。
【００２５】
また、図３(ｂ)に示すように、リード線支持部品９の一端(上端部９ｕ)が上部外板１４と近接または当接することで、プロペラファン７ｆの回転による風(空気流)により引き込まれた雨水が、リード線支持部品９および電装品蓋８、電装品箱１０に阻まれ機械室５へ侵入するのを防ぐことができる。
さらに、電装品蓋８の下端より下方でリード線支持部品９が電装品箱１０と近接または当接することで、電装品蓋８の下端に付着した水がその表面張力によりリード線支持部品９に張り付き、電装品箱１０の内部へ侵入するのを防ぐことができる。
【００２６】
前記の如く、リード線支持部品９の一端(内側端部９ｓ)が電装品箱１０と近接または当接し、他の一端(上端部９ｕ)が上部外板１４と近接または当接するよう成形され、また、リード線支持部品９が電装品蓋８の下端より下方で電装品箱１０と近接または当接していれば、リード線支持部品９は必ずしも熱交換器６の上部に配設される必要はない。
【００２７】
このように、リード線支持部品９の一端(内側端部９ｓ)が電装品蓋８の下端より下方で電装品箱１０と近接または当接するとともに、他の一端(上端部９ｕ)が上部外板１４と近接または当接する構成とすることで、電装品箱１０の内部への水の浸入を防ぐことができる。
これにより、室外機１の信頼性を向上させることができる。
【００２８】
次に、リード線支持部品９のリード線７ｒ、２４ｒを支持する構成について詳細に説明する。
図４(ａ)に図２(ｃ)のＥ方向矢視図を示し、図４(ｂ)に図２(ａ)の電装品蓋８、電装品箱１０の廻りの拡大図を示す。
図５(ａ)に図４(ｂ)のＦ部拡大詳細図を示し、図５(ｂ)に図５(ａ)のＧ方向矢視図を示す。
【００２９】
図２(ｂ)に示すように、リード線支持部品９は、熱交換器室４の空間(スペース)から電装品箱１０の背面側に延在する支持部品背部９Ａと、支持部品背面部９Ａに連続して電装品箱１０の側端部側に延在する支持部品側部９Ｂとを有し形成されている。
そして、リード線支持部品９の横断面を表す図３(ｂ)に示すように、リード線支持部品９は、電装品箱１０に当接または近接する一端(内側端部９ｓ)が形成される略Ｌ字状の内側部９ｉと、上部外板１４と近接または当接する一端(上端部９ｕ)が形成される略Ｕ字状の外側部９ｏとを有し構成されている。
【００３０】
図５(ａ)に示すように、送風機７のリード線７ｒおよび外気温センサ２４のリード線２４ｒを内包する保護チューブ２９は、リード線支持部品９の外側部９ｏから下方に誘導された後に内側部９ｉに配置され支持される。
リード線支持部品９の支持部品側部９Ｂの端縁部にはリード線７ｒ、２４ｒを内包する保護チューブ２９の水平方向の位置を定める抑え板１５が形成されている。
抑え板１５は、外側の抑え板外部１５ａと内側の抑え板内部１５ｂとを有し、その上角部は、面取り１５ｃがなされている。この面取り１５ｃにより、室外機１の組立て、メンテナンスに際し、保護チューブ２９が抑え板１５に引っかかることなく保護チューブ２９の取り扱いが容易になっている。
【００３１】
図５(ａ)に示すように、リード線支持部品９の外側部９ｏには、リード線７ｒ、２４ｒを内包する保護チューブ２９を水平方向に案内する押え壁１９と、保護チューブ２９を抑え鉛直および水平方向に案内する前ツメ１７(１７ａ、１７ｂ、１７ｃ)と、保護チューブ２９を下方に誘導する下方誘導部２５(図５(ｂ)参照)とが形成されている。
【００３２】
リード線支持部品９の断面略Ｕ字状をもつ外側部９ｏ(図３(ｂ)参照)には、リード線７ｒ、２４ｒを内包する保護チューブ２９の引き回す位置を定める鉛直方向に成形された押え壁１９が、１箇所または複数箇所成形される。押え壁１９は、外側部９ｏの内壁板９ｏ１に沿った形状に形成され、内壁板９ｏ１との間にリード線７ｒ、２４ｒを覆う保護チューブ２９が圧入される(押圧して嵌入される)程度の隙間１９ｓをもって、保護チューブ２９を内壁板９ｏ１に沿って案内し支持する。
【００３３】
また、リード線支持部品９の外側部９ｏには、リード線７ｒ、２４ｒを内包する保護チューブ２９を、後記の下方誘導部２５に導く手前で、支持する前ツメ１７(１７ａ、１７ｂ、１７ｃ)が鉛直方向に複数または単数形成される。
【００３４】
前ツメ１７は、外側部９ｏの内壁板９ｏ１に迫ってリード線７ｒ、２４ｒを含む保護チューブ２９が押圧して嵌入されるツメ部１７ａ1(１７ｂ1、１７ｃ1)と、ツメ部１７ａ1(１７ｂ1、１７ｃ1)に連続して形成され当該保護チューブ２９が嵌入され水平方向および鉛直方向の動きが制限される案内切り欠き１７ａ2(１７ｂ2)とが形成されている。なお、前ツメ１７ｃにも、前ツメ１７ａの案内切り欠き１７ａ2と同様な案内切り欠きが形成されている。
これにより、保護チューブ２９は、押圧されて前ツメ１７のツメ部１７ａ1(１７ｂ1、１７ｃ1)と内壁板９ｏ１との間を通って案内切り欠き１７ａ2(１７ｂ2)に嵌入され、鉛直方向かつ水平方向に支持され案内される。
【００３５】
そして、図５(ｂ)に示すように、リード線支持部品９の外側部９ｏには、前ツメ１７ａの下流側にリード線７ｒ、２４ｒを内包する保護チューブ２９を下方に導く下方誘導部２５が、その下端が水平方向に形成された曲げ補助板２１より下方に位置するように鉛直方向に形成されている。
【００３６】
前記したように、下方誘導部２５の下流側に、下方誘導部２５で下方に誘導されたリード線７ｒ、２４ｒを含む保護チューブ２９の前後方向の位置を制限する抑え板１５が、下方誘導部２５と直角かつ鉛直方向に形成されている。
【００３７】
一方、図５に示すように、リード線支持部品９の内側に形成される略Ｌ字状断面をもつ内側部９ｉには、リード線７ｒ、２４ｒを内包する保護チューブ２９の引き回し位置を定める、つまり保護チューブ２９を案内する後ツメ１８が鉛直方向に形成(立設)されている。
後ツメ１８は、リード線支持部品９の内側部９ｉ(図３(ｂ)参照)に、外側部９ｏの内壁板９ｏ１に沿って立設されている。保護チューブ２９は、図５(ａ)に示すように、後ツメ１８と外側部９ｏの内壁板９ｏ１との間に配置され、電装品箱１０の電装品箱開口部２３に向けて支持され案内される。
【００３８】
そして、図５(ａ)に示すように、リード線支持部品９の下部には、位置決め壁２０が鉛直方向に成形されており、位置決め壁２０は、熱交換器６のパイプ６ｐを挟み込むことでリード線支持部品９の位置を決めている。
リード線支持部品９は、ＰＰ(ポロプロピレン)などの樹脂を用いて形成される。なお、リード線支持部品９の材料は適宜選択できる。
【００３９】
上述のリード線支持部品９の構成により、図２(ａ)、(ｂ)に示すように、送風機７のリード線７ｒは、熱交換器室４側のリード線支持部品９の端部９ｔからリード線支持部品９の外側部９ｏに入り、押え壁１９の隙間１９ｓに導かれ、押え壁１９で押さえられる。
【００４０】
一方、図２(ｃ)、図４(ａ)に示す外気温センサケース２６内の外気温センサ２４からのリード線２４ｒは、リード線支持部品９の外側部９ｏに入り、リード線７ｒと合流する。図５(ａ)に示すように、合流したリード線７ｒとリード線２４ｒとは、保護チューブ２９に覆われ、当該保護チューブ２９は、リード線支持部品９の外側部９ｏの前ツメ１７ｃの案内切り欠きに挿入され案内され、さらに押え壁１９の隙間１９ｓに導かれ、押え壁１９と内壁板９ｏ１との間で支持される。
【００４１】
その後、図５(ａ)に示すように、リード線７ｒ、２４ｒを含む保護チューブ２９は、前ツメ１７ｂの案内切り欠き１７ｂ2に挿入され案内された後、前ツメ１７ａの案内切り欠き１７ａ2に挿入され電装品箱１０の電装品箱開口部２３の近くを通り案内され、曲げ補助板２１の上を通り、下方誘導部２５により下方に案内される。
【００４２】
そして、図５(ｂ)に示すように、リード線７ｒ、２４ｒを含む保護チューブ２９は、下方誘導部２５の下方を通り、電装品箱１０の電装品箱開口部２３の側に戻るようにリード線支持部品９の内側部９ｉの上に乗せられ、後ツメ１８と外側部９ｏの内壁板９ｏ１との間で案内され、電装品箱１０の電装品箱開口部２３に挿入され、電装品箱１０内の電装品(図示せず)に接続される。
このように、リード線７ｒ、２４ｒを含む保護チューブ２９は、電装品箱１０の電装品箱開口部２３の下方に導かれた後に下方から電装品箱開口部２３の内部に挿入される。
【００４３】
上記構成によれば、リード線支持部品９において、リード線７ｒ、２４ｒを内包する保護チューブ２９を圧入する(押圧して嵌入する)程度の隙間１９ｓを形成する押え壁１９によりリード線７ｒ、２４ｒまたはリード線７ｒ、２４ｒを内包する保護チューブ２９の引き回しの位置を定めることにより、リード線７ｒ、２４ｒまたはリード線７ｒ、２４ｒを含む保護チューブ２９をリード線支持部品９から離隔することなく支持できる。これにより、組立て、メンテナンスなどで上部外板１４を取り付ける際に、上部外板１４でリード線７ｒ、２４ｒを挟んで損傷する危険性を低減することができる。
【００４４】
リード線７ｒ、２４ｒを内包する保護チューブ２９を下方に誘導する下方誘導部２５の手前で前ツメ１７ａにより支持することにより、リード線７ｒ、２４ｒを含む保護チューブ２９が、下方誘導部２５で下方に誘導されることに対する反力で上方へ跳ね上がることを抑制できる。これにより、組立て、メンテナンスなどで上部外板１４を取り付ける際に、上部外板１４とリード線支持部品９とでリード線７ｒ、２４ｒを挟み込み、リード線７ｒ、２４ｒを損傷する危険性を低減することが可能である。
【００４５】
図５(ｂ)に示すように、下方誘導部２５の手前で水平方向に曲げ補助板２１を成形することで、リード線７ｒ、２４ｒを内包する保護チューブ２９をより直角に下方に引き回すことができる。このように、リード線７ｒ、２４ｒを含む保護チューブ２９をより直角に下方に引き回すことで、前ツメ１７ａでリード線７ｒ、２４ｒを含む保護チューブ２９を水平に引き回すことができ、リード線７ｒ、２４ｒを含む保護チューブ２９の跳ね上がりを防ぐことができる。
【００４６】
また、より直角にリード線７ｒ、２４ｒを含む保護チューブ２９を下方に引き回すことで、確実に保護チューブ２９を下方に引き回すことができる。そのため、リード線７ｒ、２４ｒ、保護チューブ２９に付着した水が電装品箱１０に侵入する危険性を低減することが可能となる。
【００４７】
さらに、リード線７ｒ、２４ｒを含む保護チューブ２９を確実に下方に引き回すことで、リード線７ｒ、２４ｒ、保護チューブ２９が電装品蓋８の角に触れることがなくなり、運転中に振動する電装品箱１０の角でリード線７ｒ、２４ｒ、保護チューブ２９の被覆が破れる危険性を低減することが可能となる。
【００４８】
また、リード線７ｒ、２４ｒを含む保護チューブ２９をその下方へ誘導する下方誘導部２５を、その下端が曲げ補助板２１より下方に位置するように設けることで、確実に下方誘導部２５でリード線７ｒ、２４ｒを含む保護チューブ２９に付着した水を落とすことができる。そのため、電装品箱１０内への水の浸入を防ぐことが可能となる。
【００４９】
また、図５(ｂ)に示すように、下方誘導部２５の下端が電装品箱１０の電装品箱開口部２３の下端より下方に位置することで、下方誘導部２５の下端より下方に配置される保護チューブ２９が、電装品箱開口部２３の下端より下方に位置し、より確実に電装品箱１０への水の浸入を防ぐことが可能となる。
【００５０】
また、リード線７ｒ、２４ｒを含む保護チューブ２９をその下方へ誘導する下方誘導部２５を持つことで、余剰のリード線７ｒ、２４ｒを余剰分の長さに応じて室外機１の上部外板１４や電装品蓋８から離れる方向に配線することが可能となり、組立て、メンテナンスなどに際して、上部外板１４や電装品蓋８によって余剰のリード線７ｒ、２４ｒを咬み込むことを防止できる。
【００５１】
図５(ａ)、(ｂ)に示すように、下方誘導部２５の水平方向の先端に抑え板外部１５ａおよび／または抑え板内部１５ｂをもつ抑え板１５を設けることで、リード線７ｒ、２４ｒを含む保護チューブ２９の前後方向への抜けを防止して、確実に下方誘導部２５に支持することが可能となる。また、抑え板１５に抑え板外部１５ａおよび／または抑え板内部１５ｂを設けることで、リード線７ｒ、２４ｒを含む保護チューブ２９の折れ曲げに対する反力で、リード線７ｒ、２４ｒを内包する保護チューブ２９が跳ね上がることを防止できる。
そのため、リード線７ｒ、２４ｒが電装品蓋８の角に触れるのを防ぐことができ、運転中に振動する電装品蓋８でリード線７ｒ、２４ｒの被覆が破られるのを防ぐことが可能となる。
【００５２】
また、下方誘導部２５と電装品箱１０の電装品箱開口部２３との間の内側部９ｉに後ツメ１８を設けることで、下方誘導部２５と電装品箱１０の電装品箱開口部２３との間でリード線７ｒ、２４ｒが電装品蓋８と触れる危険性を低減することができ、運転中に振動する電装品蓋８でリード線７ｒ、２４ｒの被覆が破られるのを防ぐことが可能となる。
【００５３】
従って、リード線７ｒ、２４ｒの防水性を向上し、その損傷を抑制することで、室外機１の信頼性を向上することができる。
なお、リード線支持部品９の下方誘導部２５で、リード線７ｒ、２４ｒは必ずしも鉛直方向の下方に導かれる必要はなく、水平方向より下方向であれば斜め下方向に導かれた場合であっても、鉛直方向の下方に導かれた場合と同様に、電装品箱１０の故障の危険性を低減することが可能である。
【００５４】
図６は、リード線支持部品９の変形形態を示す図である。
変形形態のリード線支持部品９は、実施形態で説明した後ツメ１８(図５参照)に代えて押え板２２を設けたものである。その他の構成要素は、前記実施形態と同様であるから、同一の符号を付して示し詳細な説明は省略する。
【００５５】
リード線支持部品９の内側部９ｉに、リード線７ｒ、２４ｒを含む保護チューブ２９を水平方向に導く押え板２２を水平方向に成形する。
押え板２２は、リード線支持部品９の内側部９ｉにおいて、外側部９ｏの内壁板９ｏ１に連続して水平方向に形成される底辺部２２ａと、底辺部２２ａの下方まで延在して略鉛直方向に形成される側辺部２２ｂと、底辺部２２ａおよび側辺部２２ｂを内壁板９ｏ１に接続する補強リブ２２ｃとを有する形状に形成されている。
【００５６】
リード線７ｒ、２４ｒを含む保護チューブ２９は、押え板２２の底辺部２２ａの下方に案内されるが、側辺部２２ｂが底辺部２２ａの下方まで延在しているため、保護チューブ２９は、押え板２２の底辺部２２ａの下方に確実に案内できる。
このように、下方誘導部２５と電装品箱１０の電装品箱開口部２３との間に押え板２２を設け、押え板２２の底辺部２２ａで上からリード線７ｒ、２４ｒを含む保護チューブ２９を押えることで、下方誘導部２５にて下方に誘導されたリード線７ｒ、２４ｒを水平方向に引き回すことが可能となる。
【００５７】
これにより、下方誘導部２５と電装品箱１０の電装品箱開口部２３との間でリード線７ｒ、２４ｒが、電装品蓋８と触れる危険性を低減することができる。また、運転中に振動する電装品蓋８でリード線７ｒ、２４ｒの被覆が破られるのを防ぐことが可能である。
【００５８】
従って、実施形態によれば、防水性とリード線の損傷の防止を図ることで信頼性を向上させた空気調和機１００の室外機１を実現できる。
なお、前記実施形態では、リード線支持部品９を単体の部品で構成した場合を例示したが、複数の部品で構成してもよい。なお、リード線支持部品９は、単体の部品の方が設計、製造などで容易であるので、リード線支持部品９は、単体で構成した方が望ましい。
【００５９】
なお、前記実施形態では、電装品箱１０の電装品箱開口部２３は一つの場合を例示したが、複数として各リード線をそれぞれ電装品箱１０の内部に入れるようにしてもよい。この場合も、下方誘導部２５で各リード線を下方に誘導し、各リード線を電装品箱開口部２３の下方から電装品箱１０の内部に挿入させることになる。
【００６０】
また、前記実施形態では、リード線支持部品９で送風機７のリード線７ｒおよび外気温センサ２４のリード線２４ｒを支持する場合を例示したが、リード線７ｒおよびリード線２４ｒの何れかをリード線支持部品９で支持するように構成してもよい。
【００６１】
また、前記実施形態では、電装品箱１０の電装品箱開口部２３の手前で、下方誘導部２５により、リード線７ｒ、２４ｒを電装品箱開口部２３より下方に導く場合を例示したが、リード線７ｒ、２４ｒを支持する途中の経路で上流のリード線７ｒ、２４ｒより下方誘導部２５でリード線７ｒ、２４ｒを下方に導き、その後に下流のリード線７ｒ、２４ｒを上方に案内してもよい。このように、下方誘導部２５の位置は適宜選択可能であり、また、リード線７ｒ、２４ｒを下方誘導部２５で下方に導く位置は、必ずしも電装品箱開口部２３より下方の位置でなくともよい。
【００６２】
また、前記実施形態では、下方誘導部２５をリード線支持部品９に設ける場合を例示したが、下方誘導部２５をリード線支持部品９と独立して(別体に)設けてもよい。
【符号の説明】
【００６３】
１      室外機(本体)
４      熱交換器室
５      機械室
６      熱交換器
７      送風機
７ｆ    プロペラファン(送風機)
７ｒ    送風機のリード線
９      リード線支持部品
９ｉ    内側部
９ｏ    外側部
１０    電装品箱
１１    仕切り板
１２    圧縮機
１４    上部外板(外板)
１７(１７ａ、１７ｂ、１７ｃ)  前ツメ(案内部、拘束案内部)
１７ａ1、１７ｂ1、１７ｃ1  ツメ部(嵌入部)
１７ａ2、１７ｂ2  案内切り欠き(拘束部)
１８    後ツメ(案内部、水平案内部)
１９    押え壁(案内部、水平案内部)
２２    押え板(案内部、鉛直案内部)
２３    電装品箱開口部(開口部)
２４    外気温センサ
２４ｒ  外気温センサのリード線
２５    下方誘導部
１００  空気調和機
【図１】
2012093042.tif 000003
【図２】
2012093042.tif 000004
【図３】
2012093042.tif 000005
【図４】
2012093042.tif 000006
【図５】
2012093042.tif 000007
【図６】
2012093042.tif 000008
【図７】
2012093042.tif 000009